(57)【特許請求の範囲】
【請求項１】
制御ケーブルを吊り下げ支持する制御ケーブル支持腕であって、エレベータのかごの昇降を案内するガイドレールを支持元として前記ガイドレールに突設された制御ケーブル支持腕を備えた制御ケーブル吊手装置において、
前記ガイドレールに突設された第２の腕と、
一端が前記制御ケーブル支持腕に接続され、他端が前記第２の腕に接続された筋交いとを備え、
制御ケーブル支持腕は、
前記ガイドレールに対して、制御ケーブルを吊り下げ支持する側と反対側に延長した延長腕を有し、
前記筋交いは、
前記一端が前記延長腕に接続されたことを特徴とする制御ケーブル吊手装置。
【請求項２】
前記第２の腕は、
前記ガイドレールにおいて前記制御ケーブル支持腕よりも下方、かつ、前記延長腕が延びる方向に突設され、
前記筋交いは、
前記一端が、前記延長腕の延びる方向において、前記第２の腕に接続する前記他端よりも前記ガイドレールから遠くで前記延長腕に接続することを特徴とする請求項１記載の制御ケーブル吊手装置。
【請求項３】
制御ケーブルを吊り下げ支持する制御ケーブル支持腕であって、エレベータのかごの昇降を案内するガイドレールを支持元として前記ガイドレールに突設された制御ケーブル支持腕を備えた制御ケーブル吊手装置において、
前記ガイドレールに突設された第２の腕と、
一端が前記制御ケーブル支持腕に接続され、他端が前記第２の腕に接続された筋交いとを備え、
前記制御ケーブル吊手装置は、さらに、
前記制御ケーブル支持腕がガイドレールどうしの継ぎ目の近傍においていずれかのガイドレールに突設される場合に、前記継ぎ目を側面から押える押さえ装置を備えたことを特徴とする制御ケーブル吊手装置。
【請求項４】
制御ケーブルを吊り下げ支持する制御ケーブル支持腕であって、エレベータのかごの昇降を案内するガイドレールを支持元として前記ガイドレールに突設された制御ケーブル支持腕を備えた制御ケーブル吊手装置において、
前記ガイドレールに突設された第２の腕と、
一端が前記制御ケーブル支持腕に接続され、他端が前記第２の腕に接続された筋交いとを備え、
前記制御ケーブル吊手装置は、さらに、
前記ガイドレールにおいて前記制御ケーブル支持腕の下方で前記制御ケーブル支持腕に近接し、かつ、前記制御ケーブル支持腕の突設された方向と反対方向に突設された第３の腕と、
前記ガイドレールにおいて前記第３の腕よりも下方、かつ、前記第３の腕の突設方向に突設された第４の腕と、
前記第３の腕に一端が接続し、前記第４の腕に他端が接続すると共に、前記一端は、前記第３の腕の前記突設方向において、前記第４の腕に接続する前記他端よりも前記ガイドレールから遠くで前記第３の腕に接続する第２の筋交いと
を備えたことを特徴とする制御ケーブル吊手装置。
【発明の詳細な説明】
【技術分野】
【０００１】
この発明は、制御ケーブルを吊り下げ支持する制御ケーブル支持腕であって、エレベータのかごの昇降を案内するガイドレールを支持元としてこのガイドレールに突設された制御ケーブル支持腕を備えた制御ケーブル吊手装置に関する。
【背景技術】
【０００２】
図９、図１０を参照して従来の技術を説明する。図９は、制御ケーブルが架設された機械室ありエレベータの全体構成を概念的に示す昇降路断面図である。昇降路２１の上部には、は機械室２２がある。機械室２２には、巻上機１４と制御盤２３が設置されている。主索１５は巻上機１４に巻き掛けられており、主索１５の一端にはかご１６が吊持され、他端にはおもり１７が吊持される。かご１６とおもり１７の下部にはコンペンロープ１８が取付けられている。コンペンロープ１８は、かご１６がガイドレール１９に案内されて昇降した際の、主索１５のアンバランスを補正する機能を有する。
【０００３】
エレベータの電力送電、信号伝送に用いられる制御ケーブル９は、昇降路２１内の昇降行程の中央部付近に設けられた制御ケーブル吊手装置７により固定され、一方は機械室２２に設置された制御盤２３に接続され、他方はかご１６下に固定、懸垂され、かごの制御装置に接続される。昇降行程の大きいエレベータに適用する制御ケーブル９では、ケーブル自体の質量を支えるために、図１０に示すように、その中に複数の鋼製のワイヤロープ６が通されている。
【０００４】
図１０は、特許文献１として示した特開平９−１３２３６６号公報の図１に相当する制御ケーブル吊手装置の詳細図である。図１０（ｂ）は正面図であり、図１０（ａ）は平面図である。なお、図１０（ａ）では、カラー２及びカラー２にかかっているワイヤロープ６を省略した。制御ケーブル９は、昇降路２１内に立設された「かごを案内するガイドレール１９」にレールクリップ２５とボルト２６により固定された取付腕２８に、軸１を介して支持されたカラー２にワイヤロープ６を掛け、ワイヤロープ６を複数のクリップ８により連結し吊り保持される。取付腕２８は、図１０に示すように、ガイドレール１９側の取付板２８ａ、カラー２を両側より挟んで支持する取付板２８ｂ、挟み板２８ｃから構成され、ボルト２９により接合される。ホルダー５は、カラー２に掛けられたワイヤロープ６の間隔をケーブル側の間隔に案内する。取付金４は、軸１に挿通され、ホルダー５を取付ける。回転防止具７、１０は、ワイヤロープ６により吊られた制御ケーブル９の回転を防ぐ。
【０００５】
このように構成されたエレベータの制御ケーブル吊手においては、昇降行程が大きくなると、制御ケーブルの自重により制御ケーブル取付腕の取付部の付近でガイドレールの変形が大きくなり、かごの走行に悪影響を及ぼすという課題があった。
【０００６】
上記課題を解決する手段として、例えば特開２０００−２３８９７７号公報（特許文献２）にはレール背面にバッキング部材を設ける案が提案されている。しかし、ケーブル吊手がガイドレールを昇降路に固定するブラケット（レールクリップともいう）付近に配置される場合や、ガイドレールとガイドレールとの継ぎ目付近に配置される場合には、バッキング部材をガイドレールに設けられないという課題があった。また、バッキング部材はケーブル質量によるモーメントに耐えうるように構成しなければならないため、相応の長さ、相当の断面係数が必要となり、結果としてバッキング部材の重量が重くなり、据付作業が困難であるという課題もあった。
【特許文献１】特開平９−１３２３６６号公報
【特許文献２】特開２０００−２３８９７７号公報
【発明の開示】
【発明が解決しようとする課題】
【０００７】
本発明は、ガイドレールのブラケットの位置やガイドレールの継ぎ目の位置の制約を受けずに制御ケーブルの自重によるガイドレールの変形を小さくし、ガイドレール変形によるかご走行への悪影響を防止する制御ケーブル吊手装置を提供することを目的とする。また、バッキング部材を用いないで、据付が容易に行える制御ケーブル吊手装置を提供することを目的とする。
【課題を解決するための手段】
【０００８】
この発明の制御ケーブル吊手装置は、
制御ケーブルを吊り下げ支持する制御ケーブル支持腕であって、エレベータのかごの昇降を案内するガイドレールを支持元として前記ガイドレールに突設された制御ケーブル支持腕を備えた制御ケーブル吊手装置において、
前記ガイドレールに突設された第２の腕と、
一端が前記制御ケーブル支持腕に接続され、他端が前記第２の腕に接続された筋交いと
を備えたことを特徴とする。
【発明の効果】
【０００９】
この発明により、ガイドレールのブラケットの位置やガイドレールの継ぎ目位置の制約を受けずに制御ケーブルの自重によるガイドレールの変形を小さくし、ガイドレール変形によるかご走行への悪影響を防止する制御ケーブル吊手装置を提供できる。
【発明を実施するための最良の形態】
【００１０】
実施の形態１．
図１、図２を用いて実施の形態１を説明する。図１は、以下の実施の形態において筋交いを用いることにより発生させるモーメントを説明する図である。図１は図１０と同様である。図１において、制御ケーブル９の自重により、取付腕２８にはＦ１、Ｆ２の力が加わる。このＦ１、Ｆ２により、ガイドレール１９の取付腕２８の取付部分には、モーメント（以下、自重モーメントという）が発生する。以下の実施の形態では、筋交いを設けることにより、この自重モーメントを軽減、あるいはキャンセルするモーメント（以下、対抗モーメントという）を生じさせ、自重モーメントによるガイドレール１９の変形を防止する。
【００１１】
図２は、実施の形態１における制御ケーブル吊手装置１１０の全体構成を示す図である。制御ケーブル吊手装置１１０は、図１０に示した従来の制御ケーブル吊手装置に、さらに、筋交い４０を設けた構成である。図２の破線８１で囲んだ部分は、図１０と同様の構成である。制御ケーブル吊手装置１１０の筋交い４０は、取り付け長さが調整可能な構成であり、これにより、取付腕２８（取付板２８ｂ）を引っ張る力Ｆ３を発生することができる。このＦ３により対抗モーメントを生じる構成である。
【００１２】
制御ケーブル吊手装置１１０は、制御ケーブル９を吊り下げ支持する取付腕２８（制御ケーブル支持腕）を備える。取付腕２８は、ガイドレール１９を支持元として、ガイドレール１９にレールクリップ２５とボルト２６により突設される。制御ケーブル吊手装置１１０は、さらに、レールクリップ２５とボルト２６によりガイドレール１９に突設された取付板３０（第２の腕の一例）と、一端が取付腕２８に接続され、他端が取付板３０に接続された筋交い４０を備える。取付腕２８では、筋交い４０の支持部は、制御ケーブル９支持する支持部（カラー２）の上方に設けられている。
【００１３】
図２を参照して、制御ケーブル吊手装置１１０の構成を説明する。制御ケーブル吊手装置１１０は、取付腕２８の制御ケーブル９を吊っている部分付近を持ち上げるように、筋交い４０を設けた例である。
【００１４】
取付板３０は、レールクリップ２５、ボルト２６を用いてガイドレール１９に固定される。
【００１５】
（筋交い４０の構成）
次に、筋交い４０の構成を説明する。筋交い４０は、取付金３１〜取付板３７から構成される。即ち、筋交い４０は、取付金３１、右ねじ棒３２、特殊高ナット３３、右ねじナット３４、左ねじナット３５、左ねじ棒３６、取付板３７とを備える。
（１）取付金３１は、取付板３０を挟む「コの字」形状であり、段付きボルト３８により回転自由に支持される。
（２）右ねじ棒３２は、右ねじ加工が施されており、取付金３１に溶接にて接合される。
（３）特殊高ナット３３は、その長さの中央部を境にして片側（右ねじ棒３２側）は「右めねじ」、もう一方（左ねじ棒３６側）は、「左めねじ」が施工されている。特殊高ナット３３は、右ねじナット３４と、左ねじナット３５とにより固定される。
（４）左ねじ棒３６は、左ねじ加工が施され、取付板３７に溶接接合される。
（５）取付板３７は、図１０（ａ）に示した２枚の取付板２８ｂの間に挟まれ、段付きボルト３９で回転自由に支持される。なお、２枚の取付板２８ｂは、軸１及び段付きボルト３９の取付け穴を有する。
【００１６】
（筋交い４０の組み付け）
次に、筋交い４０の組み付けを説明する。
（１）まず、レールクリップ２５とボルト２６とによって、取付板３０をガイドレール１９において取付腕２８上部の適当な位置に取り付ける。
（２）次に、筋交い４０の構成部品である取付金３１〜取付板３７を仮組みし、
（３）特殊高ナット３３により、筋交い４０の取り付け長さを調節する。
（４）そして、筋交い４０を段付きボルト３８，３９で、それぞれ取付板３０、取付板２８ｂに固定する。
（５）そして、特殊高ナット３３を締め上げることにより、筋交い４０に張力（Ｆ３と反対方向の力）が作用する。この筋交いの張力によるモーメント（対抗モーメント）が制御ケーブルの荷重（自重）によるモーメント（自重モーメント）を低減、あるいはキャンセル（つり合う）するように調整する。
（６）調整後、右ねじナット３４、左ねじナット３５をロックし、特殊高ナット３３の位置を固定する。このようにすれば、取付腕２８に加わる自重モーメントに起因するガイドレール１９の変形によるかごの走行への悪影響を防ぐことができる。なお、ガイドレール１９における取付板３０の取付部分には、筋交い４０の張力によるモーメントが作用する。しかし、荷重の作用点（段付きボルト３８の位置）を制御ケーブル９の吊り位置（軸１の位置）と比較して、ガイドレール１９により近い位置にすることが可能なため、取付板３０の支持元のガイドレール１９部分の変形は、自重モーメントによる変形に比べて問題ない。
【００１７】
なお、図２では取付板３０は、ガイドレール１９において取付腕２８よりも上方、かつ、取付腕２８の突設された方向と略同一の方向に突設され、そして、筋交いの長さを短くするように調整して筋交いが引っ張られるようにして対抗モーメントを発生させた。これは一例であり、筋交いの配置は対抗モーメントが生じる配置であれば、どのように配置しても構わない。例えば、筋交い４０の長さを長くするように調整して筋交い４０が圧縮されるようにして、筋交い４０に働く圧縮力から対抗モーメントを生じさせても構わない。
【００１８】
以上の実施の形態１では、エレベータの制御ケーブルをガイドレールに固定し吊り下げ支持する装置において、制御ケーブルを吊り下げ支持している取付け腕に、筋交いが取り付けられた制御ケーブル吊手装置を説明した。筋交いを供えた構成によって、ガイドレール１９における取付腕２８（ケーブル吊手取付け部）の取り付け部分（支持元部分）のレール変形を小さくすることができる。こため、ガイドレールの変形よるかご乗り心地の悪を防止できる。また、筋交いの長さを適当に定めることにより、取付板３０（第２の腕）のガイドレールへの取付位置を、レールブラケットやガイドレール継ぎ目部を避けて配置できるため、筋交い取付けの融通が利く。
【００１９】
実施の形態２．
次に、図３を用いて実施の形態２の制御ケーブル吊手装置１２０を説明する。実施の形態２の制御ケーブル吊手装置１２０は、取付腕２８が、ガイドレール１９に対して、制御ケーブル９を吊り下げ支持する側と反対側に延長した延長腕を有する構成とした。この延長腕の先端付近を下方へ引っ張るように筋交い４０ａを設けることにより、筋交い４０ａが延長腕の先端付近を下方引っ張る力Ｆ４により対抗モーメントが発生する。
【００２０】
破線８２で囲んだ部分は、図１０と同様の構成である。図３は、図１０に対して、取付腕２８が、延長腕である取付板２８ｅを備える。そして、ガイドレール１９において取付腕２８の下側に取付板３０ａを突設する。
【００２１】
（取付板２８ｅ）
取付板２８ｅは、ガイドレール１９に対して、制御ケーブル９を吊り下げ支持する取付板２８ｂが突設される方向と反対方向に延長して突設される。図３に示すように、取付板２８ｅは、レールクリップ２５とボルト２６とによりガイドレール１９に固定される。
【００２２】
（取付板３０ａ（第２の腕））
取付板３０ａは、ガイドレール１９において、取付板２８ｅを備える取付腕２８の下側に、レールクリップ２５とボルト２６とにより、取付板２８ｅが突設された方向と略同一の方向に突設される。筋交い４０ａの一端（上端）は取付板２８ｅ（延長腕）の先端付近に回転自由に支持され、筋交い４０ａの他端（下端）は取付板３０ａ（第２の腕）の先端付近に回転自由に支持される。筋交い４０ａには引っ張りが作用するので、取付板２８ｅ（延長腕）を介して対抗モーメントが発生する。
【００２３】
（筋交い４０ａの構成）
図３では、取付板３０ａは図２の取付板３０に対応する。同様に、筋交い４０ａは図２の筋交い４０とほぼ同様の構成であるが、図２の筋交い４０と比較して、両端は、ともに「コの字」形状の取付金３１ａ，３１ｂである。これは、図３の場合、相手部品の取付板２８ｅ，取付板３０ａが「板」形状のためである。筋交い４０ａの構成部品である取付金３１ａ〜左ねじ棒３６ａは、図２の筋交い４０の取付金３１〜左ねじ棒３６に同等である。また、取付金３１ｂは、取付金３１ａと同等である。段付きボルト３８ａ，３８ｂは、図２の段付きボルト３８に同等である。
【００２４】
筋交い４０ａの長さを調整することにより、自重モーメントによるガイドレールの変形によるかごの走行への悪影響を防止することができる。
【００２５】
実施の形態３．
図４を参照して実施の形態３を説明する。実施の形態３は、実施の形態１と実施の形態２とを組み合わせた例である。図４において破線８３で囲んだ部分は、実施の形態１で説明した制御ケーブル吊手装置１１０に相当する。また、破線８４で囲んだ部分は、実施の形態２で説明した制御ケーブル吊手装置１２０に相当する。
【００２６】
図４の構成とすることにより、制御ケーブル吊手装置１１０（筋交い４０）による対抗モーメントと、制御ケーブル吊手装置１２０（筋交い４０ａ）による対抗モーメントとが発生する（対抗モーメントの重ね合わせとなる）。このため、制御ケーブル９の自重による自重モーメントを上部の筋交い４０と下部の筋交い４０ａとにより支持できるので、それぞれの筋交いにかかる荷重を小さくでき、制御ケーブル吊手装置の小型化が可能となる。また、筋交いの張力も小さくて済むので、筋交いの調整が小さい力で可能となり、作業性が向上する。
【００２７】
実施の形態４．
図５を用いて実施の形態４を説明する。実施の形態４は、「第２の筋交い」を、制御ケーブルを吊っている取付腕２８とは別の取付板（取付腕）に取付けた場合を説明する。
【００２８】
図５は、実施の形態４における制御ケーブル吊手装置１４０の構成を示す図である。制御ケーブル吊手装置１４０は、図２の制御ケーブル吊手装置１１０が、さらに、取付板２８ｆ（第３の腕の一例）、取付板３０ａ（第４の腕の一例）を備えるととも、取付板２８ｆの先端付近に一端が接続し、取付板３０ａの先端付近に他端が接続する「第２の筋交い」である筋交い４０ａを備える構成である。
【００２９】
図５において、破線８５で囲んだ部分は、図２の制御ケーブル吊手装置１１０と同様である。また、取付板３０ａと筋交い４０ａとの構成及び取付関係は、実施の形態２の図３の場合と同様である。取付板２８ｆは、取付板２８ｅと同様の板状体である。取付板２８ｆは、段付きボルト３８ｂの取付穴を有する。
【００３０】
（取付板２８ｆ）
取付板２８ｆは、取付腕２８の下側であって、ガイドレール１９に対して制御ケーブル９を吊り下げ支持する取付腕２８（取付板２８ｂ）が突設される方向と反対方向に突設される。図５に示すように、取付板２８ｆは、レールクリップ２５とボルト２６とによりガイドレール１９に固定される。
【００３１】
第２の筋交いである筋交い４０ａの張力を調整することにより、取付板２８ｆのガイドレール１９の取付部には対抗モーメントが作用する。この対抗モーメントは、制御ケーブル９の自重による自重モーメントを打ち消すように作用するので、結果としてガイドレール１９の変形を小さくし、かご走行への悪影響を防ぐことができる。
【００３２】
制御ケーブルの自重による自重モーメントは、昇降行程に比例して大きくなるが、この実施の形態４においては、制御ケーブル９を吊っている腕（取付腕２８）とは別に取付けが可能なため、昇降行程の大きさに対応して取付けの要否が選択できるので、機器の共通化が図れるため安価な製作が可能になる。
【００３３】
上記、実施の形態１〜実施の形態４の例においては，筋交いの長さを適当に定めることにより、取付板および取付腕のガイドレールへの取付位置を、レールクリップやガイドレール継ぎ目部を避けて配置できるため、取付けの融通性が利く。また、それぞれの装置は分割して構成しているため、重量が軽くできるので据付作業が容易にできる。
【００３４】
以上の実施の形態４では、ある間隔を置いてガイドレールに固定される長さの異なる２本の取付腕と、これらの取付腕の先端付近でそれぞれに接続する筋交い４０ａを備えた制御ケーブル吊手装置１４０を説明した。この制御ケーブル吊手装置１４０により、制御ケーブルを吊っている腕とは別に、筋交い４０ａを接続する板（腕）を取付けるため、ガイドレールが一方向へ変形するのを矯正することができる。また、装置部品の共通化が図れるため、安価に制御ケーブル吊手装置を製作できる。
【００３５】
実施の形態５．
図６〜図８を参照して実施の形態５の制御ケーブル吊手装置１５０を説明する。実施の形態５の制御ケーブル吊手装置１５０は、実施の形態１の制御ケーブル吊手装置１１０が、ガイドレール１９ａとガイドレール１９ｂとの継ぎ目を側面から押さえる押さえ装置５００を備えた構成である。
【００３６】
図６は、実施の形態５の制御ケーブル吊手装置１５０を示す図である。制御ケーブル吊手装置１５０は、前記のように、図２の制御ケーブル吊手装置１１０が、さらに、ガイドレールどうしの継ぎ目の曲がりを調整する押さえ装置５００を備えた構成である。図６の破線８６で囲む範囲が、押さえ装置５００である。それ以外の取付板３０、筋交い４０、取付腕２８等は、制御ケーブル吊手装置１１０と同様である。
【００３７】
押さえ装置５００は、取付腕２８（制御ケーブル支持腕）がガイドレールどうしの継ぎ目の近傍において、いずれかのガイドレールに突設される場合に、ガイドレールどうしの継ぎ目を側面から押える。
【００３８】
押さえ装置５００の構成を説明する。押さえ装置５００は、その側面に厚板４２が対向して溶接された一枚の取付板４１と、４つの当板４３と、ボルト、ナット、座金等から構成される。
【００３９】
図７は、図６のＡ方向矢視を示す図であり、図８は、Ａ−Ａ断面図である。図７、図８を参照して、押さえ装置５００の構成を説明する。
【００４０】
（ガイドレールの継ぎ目）
まず、押さえ装置５００の構成を説明する前に、ガイドレールの継ぎ目を説明する。ガイドレール１９ａ，１９ｂの端部には、複数の穴（図６では４つ）が施工されている。ガイドレールどうしは、ガイドレールにあけられた穴に対応する複数の穴が施工された「目板５１」にて、ボルト５２、ナット５３、座金５４により接合される。
【００４１】
（押さえ装置５００の構成）
次に、押さえ装置５００の構成を説明する。
【００４２】
（取付板４１）
取付板４１は、目板５１を避けるように穴４１ｂが施工されており、また、十分な厚さを有する。取付板４１は、図６に示すように、レールクリップ２５ａ、ボルト２６ａにより、ガイドレールに強固に固定される。
【００４３】
（厚板４２）
取付板４１の両端には、複数個のねじ穴４２ａの施工された厚板４２が溶接固定されている。
【００４４】
（当板４３）
当板４３は、ガイドレールの側面に当接される。当板４３は、横方向に調節可能な長穴４３ａが施工されている。「横方向」とは当板４３がガイドレールの側面に当接された場合に、ガイドレールの長手方向に対して直角方向である。当板４３は、ボルト４４、長穴４３ａよりサイズの大きい座金４５により、取付板４１に施工されたねじ穴４１ａに組み付けられる。また、当板４３は、ジャッキボルト４６の締め付けにより、ガイドレールの側面への押し当てが可能であり、押し当てる力はナット４７でロックすることで保持できるようになっている。
【００４５】
（押さえ装置５００の取付方法）
（１）取付板４１は、上面が、ガイドレール１９ａ，１９ｂの下面に当接するようにレールクリップ２５ａ，ボルト２６ａによりガイドレール１９ａ，１９ｂに取り付けられる。取付板４１には目板５１を避けるように中央部分に穴４１ｂがあいているので、取付板４１と目板５１は干渉しない。
（２）取付板４１の上面には、レールの継ぎ目において、ガイドレール１９ａ、１９ｂの両側に、当板４３がガイドレール１９ａ、１９ｂの対称位置に配置される。この当板４３をジャッキボルト４６で締め付けてガイドレール１９ａ，１９ｂに押し付けることで、ガイドレール１９ａ，１９ｂを押さえる。
【００４６】
（ガイドレールの継ぎ目部分）
ガイドレール１９の継ぎ目部分は、通常、ガイドレール本体部分と比べて変形が大きくなるが、上記押さえ装置５００を設けることで、制御ケーブルを支持する取付腕がガイドレールの継ぎ目に配置され、制御ケーブル９の自重によりガイドレールが継ぎ目部分で変形したとしても、ジャッキボルト４６の締め付けによりガイドレールの変形の修正が可能である。なお、はじめから上記の押さえ装置５００を装着し、ジャッキボルト４６を締め付けガイドレール１９の継ぎ目部で両側から当板４３で保持し変形が生じないようにすることも可能である。よって、実施の形態５においても、ガイドレールの変形を抑えることで、かご走行への悪影響を排除することができる。
【００４７】
以上の実施の形態５では、制御ケーブル取付け腕（取付腕２８）付近のガイドレール継ぎ目に、継ぎ目を側面から押える押さえ装置を備えた制御ケーブル吊手装置を説明した。この制御ケーブル吊手装置により、継ぎ目に生じるガイドレール変形を小さくすることができるので、ガイドレールの変形によるかご乗り心地の悪化を防止できる。これは、特に高速エレベータにおいて有効である。
【００４８】
以上の実施の形態１〜実施の形態５では制御ケーブル吊手装置１１０〜１５０を説明したが、これらの制御ケーブル吊手装置を、対抗モーメントを発生させる制御ケーブル吊手装置の取付方法、あるいは、制御ケーブルの支持方法として把握することも可能である。
【図面の簡単な説明】
【００４９】
【図１】実施の形態１の、モーメントを説明する図。
【図２】実施の形態１の、制御ケーブル吊手装置１１０の構成を示す図。
【図３】実施の形態２の、制御ケーブル吊手装置１２０の構成を示す図。
【図４】実施の形態３の、制御ケーブル吊手装置１３０の構成を示す図。
【図５】実施の形態４の、制御ケーブル吊手装置１４０の構成を示す図。
【図６】実施の形態５の、制御ケーブル吊手装置１５０の構成を示す図。
【図７】実施の形態５の、押さえ装置５００のＡ矢視。
【図８】実施の形態５の、押さえ装置５００のＡ−Ａ断面。
【図９】従来例を示す図。
【図１０】従来例を示す別の図。
【符号の説明】
【００５０】
１  軸、２  カラー、４  取付金具、５  ホルダー、６  ワイヤロープ、８  クリップ、９  制御ケーブル、１０  回転防止具、１４  巻上機、１５  主索、１６  かご、１７  おもり、１８  コンペンロープ、１９  ガイドレール、２１  昇降路、２２  機械室、２３  制御盤、２５，２５ａ  レールクリップ、２６，２６ａ  ボルト、２８  取付腕、２８ａ  取付板、２８ｂ  取付板、２８ｃ  取付板、２８ｅ  取付板、２８ｆ  取付板、２９  ボルト、３０，３０ａ  取付板、３１，３１ａ，３１ｂ  取付金、３２，３２ａ  右ねじ棒、３３，３３ａ  特殊高ナット、３４，３４ａ  右ねじナット、３５，３５ａ  左ねじナット、３６，３６ａ  左ねじ棒、３７  取付板、３８，３８ａ，３８ｂ，３９  段付きボルト、４０  筋交い、４１  取付板、４１ａ，４１ｂ  穴、４２  厚板、４２ａ  ねじ穴、４３  当板、４３ａ  長穴、４４  ボルト、４５  座金、４６  ジャッキボルト、４７  ナット、５１  目板、５２  ボルト、５３  ナット、５４  座金、１１０，１２０，１３０，１４０，１５０  制御ケーブル吊手装置、５００  押さえ装置。
【図１】
0005196899.tif 000002
【図２】
0005196899.tif 000003
【図３】
0005196899.tif 000004
【図４】
0005196899.tif 000005
【図５】
0005196899.tif 000006
【図６】
0005196899.tif 000007
【図７】
0005196899.tif 000008
【図８】
0005196899.tif 000009
【図９】
0005196899.tif 000010
【図１０】
0005196899.tif 000011